Podtech/llm-jp-corpus-v4-ja_patent huggingface dataset:
(57)【要約】      （修正有）【課題】アイロン台に挟み部を設け、衣類の一部を挟み安定させることを可能とした挟み部付きアイロン台を提供する。【解決手段】アイロン台の短辺に沿って、衣類を挟む一方の円柱形の挟み部の固定部を設置し、アイロン台の短辺の両端から、アイロン台の短辺から対面に向かって離れた接続地点に、衣類を挟むもう一方の円柱形の挟み部の押さえ部の中心を貫く支持具の両端をアイロン台に接続し、挟み部の押さえ部は接続地点を基点として、アイロン台の短辺に沿って固定した挟み部の固定部と合わせることができる長さで可動する挟み部付きアイロン台。【選択図】図１
2020093025.tif 000002
【特許請求の範囲】
【請求項１】
アイロン台の短辺に沿って、衣類を挟む一方の円柱形の挟み部の固定部を設置し、アイロン台の短辺の両端から、アイロン台の短辺から対面に向かって離れた接続地点に、衣類を挟むもう一方の円柱形の挟み部の押さえ部の中心を貫く支持具の両端をアイロン台に接続し、挟み部の押さえ部は接続地点を基点として、アイロン台の短辺に沿って固定した挟み部の固定部と合わせることができる長さで可動し、衣類を固定する挟み部付きアイロン台。
【発明の詳細な説明】
【技術分野】
【０００１】  この発明は、アイロン台の一部に挟み部を設け、衣類の一部を挟み衣類を固定し、アイロンがけを容易に行うことを可能としたアイロン台に関するものである。
【背景技術】
【０００２】  従来、衣類にアイロンをかける際、アイロン台の上に衣類を置き、片方の手で衣類を支えるなどし、もう片方の手でアイロンをかけている。
【発明の概要】
【発明の解決しようとする課題】
【０００３】  これは次のような欠点があった。
ズボンなどをアイロン掛けする際はズボンの片側をアイロン台の上に乗せ、もう一方はアイロン台の上からはみ出すように置くこととなり、衣類が不安定な状態のまま、または片方の手でズボンを支える必要があり、アイロンが掛けにくく、作業性が悪く効率的でなかった。
本発明は、以上のような従来の欠点をなくすためになされたものである。
【課題を解決するための手段】
【０００４】  アイロン台の短辺に沿って、衣類を挟む一方の円柱形の挟み部の固定部を設置する。アイロン台の短辺の両端から、アイロン台の短辺から対面に向かって離れた接続地点に、衣類を挟むもう一方の円柱形の挟み部の押さえ部の中心を貫く支持具の両端をアイロン台に接続する。この時、挟み部の押さえ部は接続地点を基点として、アイロン台の短辺に沿って固定した挟み部の固定部と合わせることができる長さで可動するものとする。
本発明は以上の構成よりなる衣類を挟み固定する挟み部付きアイロン台である。
【発明の効果】
【０００５】  アイロン台に設置した挟み部の固定部の上にズボンなどの衣類をのせ、アイロン台と支持具によって接続された挟み部の押さえ部の円柱形の湾曲した頂点の面と挟み部の固定部の円柱形の湾曲した頂点の面がかみ合うように、挟み部の押さえ部をズボンなどの衣類の上から挟むことで衣類は固定される。
【図面の簡単な説明】
【０００６】
【図１】  本発明の正面図
【図２】  本発明の図１を真横からみた図
【図３】  本発明の斜視図
【発明を実施するための形態】
【０００７】  以下、本発明を実施するための形態について説明する。
（イ）図１のようにアイロン台（１）の短辺（２）に沿って、衣類を挟む円柱形の挟み部の固定部（３）を固定する。
（ロ）アイロン台（１）の短辺（２）の両端から、アイロン台の短辺（２）から対面に向かって離れた接続地点（５）から（６）をつなぎ、挟み部の押さえ部（４）の中心を貫く支持具（９）の一端（１０）を接続地点（５）と、支持具（９）の一端（１１）を接続地点（６）に、接続地点（５）と（６）を起点に支持具（９）が回転可動できるように接続する。
（ハ）図２のように、挟み部の押さえ部（４）は接続地点（６）を基点として挟み部の固定部（３）の円柱形の湾曲した頂点（１２）の面と、押さえ部（４）の円柱形の湾曲した頂点（１３）の面がちょうど合わせることができる長さの支持具（９）により上下に可動するものとする。
本発明は以上のような構造である。
本発明を使用するときは、図３のようにアイロン台（１）の挟み部の固定部（３）の上にズボンなどの衣類（Ａ）をのせ、アイロン台（１）の地点（５）、（６）を起点に支持具（９）の一端（１０）、（１１）で接続された挟み部の押さえ部（４）の円柱形の湾曲した頂点（１３）の面と挟み部の固定部（３）の円柱形の湾曲した頂点（１２）の面がかみ合うように、挟み部の押さえ部（４）をズボンなどの衣類（Ａ）の上から挟むことで衣類は固定される。
【符号の説明】
【０００８】  １    アイロン台
２    アイロン台の短辺
３    挟み部の固定部
４    挟み部の押さえ部
５    アイロン台の短辺２の両端から対面に向かって離れた接続地点
６    アイロン台の短辺２の両端から対面に向かって離れた接続地点
７    円柱形の挟み部の押さえ部４の一端
８    円柱形の挟み部の押さえ部４の一端
９    支持具
１０  支持具の一端
１１  支持具の一端
１２  円柱形の挟み部の固定部３の湾曲した頂点の面
１３  円柱形の挟み部の押さえ部４の湾曲した頂点の面
Ａ    ズボン等の衣類
【図１】
2020093025.tif 000003
【図２】
2020093025.tif 000004
【図３】
2020093025.tif 000005
(57)【要約】【課題】揚げたての揚げ物を網のトレーやキッチンペーパーに置いた時、揚げ物との接地面に油が溜まり、油切れがよくなかった。また、トレーと揚げ物の接地面の通気性が良くないので、時間が経つとベタつき、カラッとした食感が失われる事があった。本発明は、揚げたての揚げ物をトレーに乗せるだけで油が切れ、カラッとした美味しさを保つ事ができる、油切れの良い揚げ物トレーを提供する。【解決手段】トレー（１）に複数の垂直の棒（２）を設けたことを特徴とする、揚げ物トレー。【選択図】図３
2020093027.tif 000002
【特許請求の範囲】
【請求項１】
トレー（１）に、複数の垂直の棒（２）を設けたことを特徴とする、揚げ物トレー。
【発明の詳細な説明】
【技術分野】
【０００１】  本発明は、揚げたての揚げ物をのせて、自然に油が切れることが出来る、揚げ物トレーに関するものである。
【背景技術】
【０００２】  従来、揚げ物を網のトレーやキッチンペーパーに置いたりすると、揚げ物との接地面に油が溜まり、油切れがよくなかった。
【発明の概要】
【発明が解決しようとする課題】
【０００３】  従来、揚げ物を網のトレーやキッチンペーパーに置いた時には、次のような欠点があった。
（イ）、揚げ物との接地面に油が溜まり、油切れがよくなかった。
（ロ）、揚げ物との接地面は通気性が良くない為、時間が経つとベタつき、カラッとした食感が失われることがあった。
本発明は、これらの問題を解決するためになされたものである。
【課題を解決するための手段】
【０００４】  トレー（１）に複数の垂直の棒（２）を設ける。
【発明の効果】
【０００５】  本発明は、トレーに複数の垂直の棒をつけ、その上に揚げ物を乗せるというものである。理科の実験で使うガラス棒のように、液体は棒状の物に伝い落ちる性質があるので、揚げ物の余分な油が下に伝い落ちる為、ヘルシーな仕上がりになる。
また、本発明は、揚げ物との接地面積が少なく、トレーと揚げ物との間に空間があるので、通気性がよく、時間が経ってもカラッとしていて、美味しさを保つことが出来る。
【図面の簡単な説明】
【０００６】
【図１】本発明の斜視図
【図２】本発明の断面図
【図３】本発明の使用状況を示す斜視図
【発明を実施するための形態】
【０００７】  以下、本発明の実施の形態を説明する。
トレー（１）に複数の垂直の棒（２）を設け、揚げたての揚げ物（３）を乗せる。
【符号の説明】
【０００８】  １  トレー
２  複数の垂直の棒
３  揚げ物
【図１】
2020093027.tif 000003
【図２】
2020093027.tif 000004
【図３】
2020093027.tif 000005
(57)【要約】      （修正有）【課題】本体を半透明紙とした書状と華やかさのある背景を組み合わせた書状を提供する。【解決手段】半透明紙の書状本体１０と背景３０の間に透明板２０を有する。半透明紙は、素材の内部に小さな隙間があり、紙内部で複雑に光が屈折を繰り返すため、白く半透明に見える。半透明紙と背景の間に透明板、または透明板と枠で空間を開けることにより、光の角度が変わり、半透明紙の見え方が変化する。これにより文字の可視性が高めることができる。【選択図】図２
2020093022.tif 000002
【特許請求の範囲】
【請求項１】
本体を半透明紙とした表彰状、賞状、賞詞、感謝状、認定書、免許状、命名書き、長寿の祝い書き、各種の祝い事の浄書などの書状と、この書状本体の下面に設置される透明板と、透明板の下面に設置される背景によって構成されることを特徴とする書状。
【請求項２】
本体を半透明紙とした表彰状、賞状、賞詞、感謝状、認定書、免許状、命名書き、長寿の祝い書き、各種の祝い事の浄書などの書状と、この書状本体の下面に設置される透明板と、透明板の下面に枠を設置し、その枠の下面に設置される背景によって構成されることを特徴とする書状。
【発明の詳細な説明】
【技術分野】
【０００１】  本発明は、文字が書かれた半透明紙を使用して作られる書状に関するものであり、特に半透明紙の下面に様々な色や柄の背景を設置した書状に関するものである。【０００２】従来から、各種お祝い事や記念行事などに額装された書状が贈られる習慣があった。
近年では、見栄えのよい書状をお祝いの品や出産の記念として使用する場合が増えている。これにはいろいろな理由があるであろうが、見栄えが良い割に比較的な手頃であること、オーダーメイド製品が多く記念の日付やメッセージなどを入れることができることが主な理由であろう。従って、出産祝い、長寿のお祝いとして書状が使われるケースが多い。【０００３】しかしながら、書状は墨字書きのため、色彩は白と黒を基調としており、華やかさに欠け、乏しい色彩を装飾で補うものの、昨今では類似商品が溢れている。
そのため、より多くの人々に愛されて、心に残る新しい形式が必要である。【０００４】本発明は、上記事項に鑑みてなされたものであり、その面たる目的は、独自性と華やかさのある書状を提供する事である。
そこで注目したのが半透明紙を使用した書状である。
半透明紙は、そのデザイン性の高さか商品の梱包や装飾などに使用されている。
しかし半透明紙に書かれた文字の可視性は低く、そのためその様な場合は、白や薄茶色などの色彩の薄い色の紙を背景にし、文字の可視性を上げる工夫が必要であるが、それでは色彩が薄く華やかさに欠ける。しかし、背景に使用する紙を色彩の高い物や、柄の入ったものにすれば半透明紙に書かれた文字の可視性は低くなってしまう。
【発明の概要】
【発明が解決しようとする課題】
【０００５】このように書かれた又は印刷された半透明紙と彩度の高い色や柄のある背景紙を組み合わせは、文字の可視性が著しく低く、そのためそのような書状は存在しない。本発明が解決しようとする課題はこの点であり、半透明紙に書かれた文字の可視性を高め、半透明紙を使用した書状を提供する。
【課題を解決するための手段】
【０００６】表彰状、賞状、賞詞、感謝状、認定書、免許状、許可書、命名書等の書状本体を半透明紙で制作し、この書状本体の下面に配置される背景との間に、透明板または透明板と枠を挟みこませて構成する。
【発明の効果】
【０００７】半透明紙は、素材の内部に小さな隙間があり、紙内部で複雑に光が屈折を繰り返すため、白く半透明に見える。
半透明紙と背景の間に透明板、または透明板と枠で空間を開けることにより、光の角度が変わり、半透明紙の見え方が変化する。これにより文字の可視性が高めることができる。【０００８】半透明紙の見え方は、透明板によって作られた空間の厚みによって変化する。
従って、半透明紙に書かれた文字の色や大きさ、背景の内容に合わせて、空間の厚みを変えることで、様々な書状を制作することができる。【０００９】従って、半透明紙を使用した表彰状、賞状、賞詞、感謝状、認定書、免許状、許可書、命名書等の書状を贈ることができる。
用途に合わせ背景の色や柄を様々に変化させることで、独自性の高い外観の書状が出来、有効である。
【図面の簡単な説明】
【００１０】
【図１】本発明の書状を示す正面図である。
【図２】半透明紙、透明板、背景を１組として構成した本発明の書状を示す分解斜視図である。
【図３】図２の構成を示す横断面図である。
【図４】半透明紙、透明板、枠、背景を１組として構成した本発明の書状を示す分解斜視図である。
【図５】図４の構成を示す横断面図である。
【発明を実施するための形態】
【００１１】以下、本発明の書状について、実施例に基づき更に詳細に説明する。
【００１２】図１は、本発明の書状の一実施例を示す正面図である。
【００１３】図２は半透明紙、透明板、背景を１組として構成した本発明の書状の一実施例を示す分解斜視図である。また図３は、図２の構成を示す横断面図である。
本実施例の書状は、図２に示す通り、書状本体１０と書状本体１０の下面に重ね合わされる透明板２０と背景３０を備える。
【００１４】図４は半透明紙、透明板、枠、背景を１組として構成した本発明の書状の一実施例を示す分解斜視図である。また図５は、図４の構成を示す横断面図である。
本実施例の書状は、図３に示す通り、書状本体１０と書状本体１０の下面に重ね合わされる透明板２０と枠７０と背景３０を備える。
【符号の説明】
【００１５】１０  書状本体
２０  透明板
３０  背景
７０  枠
【図１】
2020093022.tif 000003
【図２】
2020093022.tif 000004
【図３】
2020093022.tif 000005
【図４】
2020093022.tif 000006
【図５】
2020093022.tif 000007
(57)【要約】      （修正有）【課題】本発明は、伸縮性のあるシリコンゴムのシート本体の両端に挿入穴を設けた眼鏡ずれ防止用鼻あてを提供する。【解決手段】伸縮性のあるシリコンゴムのシート１の両端に挿入穴４を設け、眼鏡の鼻パットの下から差し込んで取り付け、鼻パットシート２で鼻を覆うように装着する。【選択図】図１
2020056979.tif 000002
【特許請求の範囲】
【請求項１】
伸縮性のあるシリコンゴムのシート本体の両端に挿入穴を設け、眼鏡の鼻パットの下から差し込んで取り付け、鼻を覆うように装着することを特徴とする、眼鏡ずれ防止用鼻あて。
【発明の詳細な説明】
【技術分野】
【０００１】本発明は、眼鏡の鼻パッド部分にシリコンゴムのシートを装着し、汗や皮脂による眼鏡のズレを防止するものである。
【背景技術】
【０００２】眼鏡のつるにカバーをかけるもの特許文献１が知られている。又、鼻パッド表面をすべりにくい材質で覆うものがあった。
【先行技術文献】
【特許文献】
【０００３】
【特許文献１】特開２０００−１１１８５０号公報
【特許文献２】特開２０１１−５９６４４号公報
【発明の概要】
【発明が解決しようとする課題】
【０００４】（イ）眼鏡のつるにカバーをかけるものとして特許文献１では、眼鏡のつるが広がりやすくなり、もとの形状を損なうという問題がある。
（ロ）眼鏡の鼻パットをすべりにくい材質で覆うものとして特許文献２では、鼻との設置面積に大きな変化がなく、滑り止めの効果が小さい。
【課題を解決するための手段】
【０００５】伸縮性のあるシリコンゴムのシート本体の両端に挿入穴を設け、眼鏡の鼻パットの下から差し込んで取り付け、鼻を覆うように装着することを特徴とする、眼鏡ずれ防止用鼻あて。
【発明の効果】
【０００６】（イ）従来の鼻パットだけではなく、鼻に接触する設置面積が広くなることで、滑り止め効果を高めるので眼鏡のずれが無くなる。
（ロ）着脱可能であり、眼鏡本体に負担をかけないので眼鏡の形状を損なうことがない。
【図面の簡単な説明】
【０００７】
【図１】本発明の平面図。
【図２】本発明の斜視図。
【図３】本発明の取付け状態斜視図。
【発明を実施するための形態】
【０００８】以下、本発明の実施の形態を説明する。
（イ）シート本体（１）は伸縮性のあるシリコンゴムを用いる。
（ロ）中央の幅を持たせた鼻パットシート（２）は、装着時に鼻の頂部にあてがわれる。
（ハ）左端の取付けシート（３）には、眼鏡（５）の鼻パット（６）を挿入するための挿    入穴を設ける。
（二）右端の取付けシート（３）には、眼鏡（５）の鼻パット（６）を挿入するための挿    入穴を設ける。
本発明は以上のような構成である。
本発明を使用するときは、図３に示すようにシート本体（１）の左端、右端にある挿入穴（４）に眼鏡（５）の鼻パット（６）を上から挿入し、中央の鼻パットシート（２）で鼻の頂部を覆うように装着し、鼻に接触する設置面積が広くなることで、滑り止め効果を高めるので眼鏡（５）のずれが無くなる。
【符号の説明】
【０００９】    １シート本体
２鼻パットシート
３取付けシート
４挿入穴
５眼鏡
６鼻パット
【図１】
2020056979.tif 000003
【図２】
2020056979.tif 000004
【図３】
2020056979.tif 000005
(57)【要約】【課題】自然吸気型燃焼装置において、温度差を利用して燃焼用気体を効率よく取入れ、燃焼効率を改善する。【解決手段】  自然吸気型燃焼装置と燃焼用気体との温度差を高じ、前記燃焼用気体を効率良く取り入れるために、排気の進行方向に、排気を自然吸気型燃焼装置の周囲に還流する手段を設けることを提案する。【選択図】図１
2020056559.tif 000002
【特許請求の範囲】
【請求項１】
燃焼炉、燃料供給手段、燃焼用気体の取入手段、点火手段、排気手段を備えた自然吸気型燃焼装置において、排気を前記自然吸気型燃焼装置の周囲に還流する手段を設けることを特徴とする自然吸気型燃焼装置。
【請求項２】
前記自然吸気型燃焼装置の周囲に還流する手段として、排気口近傍に、支柱によって連設された笠状の覆いを特徴とする請求項１の自然吸気型燃焼装置。
【発明の詳細な説明】
【技術分野】
【０００１】        本発明は、燃焼を良好となす自然吸気型燃焼装置に関するものである。
【背景技術】
【０００２】      特開２０１８−１３２２８８号広報等で様々な自然吸気型燃焼装置が提案されているが、いずれも排気は放散されており、排気から得られる排熱を利用していない。
【先行技術文献】
【特許文献】
【０００３】
【特許文献１】特開第２０１８−１３２２８８号広報
【発明の概要】
【発明が解決しようとする課題】
【０００４】        自然吸気型燃焼装置において、温度差を利用して燃焼用気体を効率よく取入れ、燃焼効率を改善する。
【課題を解決するための手段】
【０００５】        排気由来の排熱を利用し、自然吸気型燃焼装置と燃焼用気体との温度差を高じて燃焼用気体を効率良く取り入れるために、排気を前記自然吸気型燃焼装置の周囲に還流する手段として、排気口上部近傍に、前記自然吸気型燃焼装置を覆うように略円錐台の笠状の覆いを支柱によって連設する。。
【発明の効果】
【０００６】        排気を自然吸気型燃焼装置の周囲に還流することにより、排気由来の排熱を還元して、前記自然吸気型燃焼装置の温度を高じる。【０００７】        自然吸気型燃焼装置近傍に略円錐台の笠状の覆いを設けることにより、前記自然吸気型燃焼装置の放熱による排熱を前記自然吸気型燃焼装置の温度を高じることに利用できる。【０００８】        前記自然吸気型燃焼装置の排気口近傍の略円錐台の笠状の覆いに蓄熱出来る素材を用いることにより、固体、液体、気体を加温するなど排気由来の排熱を二次利用できる。
【図面の簡単な説明】
【０００９】
【図１】本発明の一実施例である排気還流式自然吸気型燃焼装置を示す断面図である。
【実施例１】
【００１０】        本発明の好適な形態の一例である排気還流式自然吸気型燃焼装置を添付の図面を参照して説明する。排気還流式自然吸気型燃焼装置は不燃性の素材で作られ、蓋付の点火口を兼かねた給気口３を側面に備え、燃料タンク２を前記蓋付の点火口を兼かねた給気口３近傍上部に連通するように備え、天面に排気口５と前記排気口５上部近傍に支柱７によって連設された略円錐台の笠６を備えた排気筒４を上部に連通するように設けた燃焼炉１で構成される。【００１０】        前記燃焼炉１において、前記燃料タンクより供給された燃料に、開口された前記蓋付の点火口を兼かねた給気口３から点火し、前記燃焼炉１が暖められると前記排気筒４に上昇気流が生じ、更に燃焼用空気が開口された前記蓋付の点火口を兼かねた給気口３から取り込まれて燃焼が進み、排気は排気筒を上昇し排気口５から排出されると略円錐台の笠６によって進行を阻まれ前記略円錐台の笠６内を回旋しながら下降し前記略円錐台の笠６の下部から放散される。【００１１】        排気還流式自然吸気型燃焼装置において、炎の進行方向の後方と側方から燃焼用気体を繰り返し供給することは好適である。【００１２】        前記排気筒４において、炎の進行方向の側方から燃焼用気体を繰り返し供給する手段を設けることは好適である。【００１３】        前記排気筒４において、空間を設けて二重に構成することも好適である。【００１４】        前記排気筒４において、空間を設けて二重に構成し、内側に該排気筒４内に回旋流が生じるように炎の進行方向の側方から燃焼用気体を繰り返し供給する手段を、外側には該空間内に燃焼用気体の回旋流が生じる手段を設けることも好適である。【００１５】        前記排気筒４において、炎の進行方向の側方から燃焼用気体を繰り返し供給する手段として、空間を設けて両端部が繋がれている二重構造とし、外側は円筒形に形成して下端部近傍側面に該空間に旋回流が生じるように空気の取入口を設けてあり、内側の断面形状は正多角形の各辺の端部間を切り離してその間を段差形成用線分で繋いだような風車状の形状であり、前記断面形状における線分に相当する平面部にその法線方向に向けて一つ以上の気体導入孔が形成されることも好適である。【００１６】        燃料供給手段において、燃料タンク内にペレット用バスケットを用いることも好適である。【００１７】        排気還流式自然吸気型燃焼装置において、竹を燃料として使用することは好適である。【００１８】        本発明の自然吸気型燃焼装置は、上記実施例に限定されるものではなく、当業者によって、種々の変形が本発明の技術思想の範囲内で可能である。その燃焼炉、燃料供給手段、燃焼用気体の取入手段、点火手段、排気手段、排気を前記自然吸気型燃焼装置の周囲に還流する手段の形状、材質、規模、配置等は、設計上問題であって、その他の形状、材質、規模、配置においても、本発明の技術思想の範囲であって逸脱するものではない。
【符号の説明】
【００１９】１  燃焼炉
２  燃料タンク
３  点火口を兼ねた給気口
４  排気筒
５  排気口
６  略円錐台の笠
７  支柱
【図１】
2020056559.tif 000003
(57)【要約】      （修正有）【課題】コンクリートブロック塀の倒壊を防止できる塀補強金具を提供する。【解決手段】塀補強金具は上向き鈎７，８、下向き鈎５，６を有し、塀補強金具を用いて上段と下段のブロックをつなぐことでブロック塀を補強する。また、塀補強金具のボルト穴を用いてボルト又はアンカーボルトで基礎に固定する。【選択図】図２
2020056281.tif 000002
【特許請求の範囲】
【請求項１】
コンクリートブロック塀補強金具、図１でコンクリートブロックの基礎に▲１▼、▲２▼（ボルト穴）をボルト又はアンカーボルトで固定して、▲３▼、▲４▼（上向き鈎）で一段目のコンクリートブロックを固定することでブロック塀と基礎をつなぎ補強することができる。
【請求項２】
コンクリートブロック塀補強金具、図２の▲５▼、▲６▼（下向き鈎）と▲７▼、▲８▼（上向き鈎）でコンクリートブロックとコンクリートブロックをつなぎ合わせることで、ブロック塀を外側に倒れないように補強することができる。
【請求項３】
図１，図２でブロック塀の一部又は全面を覆うことで、ブロック塀の倒壊防止ができる。
【発明の詳細な説明】
【技術の分野】
【０００１】  本発明は、コンクリートブロック塀の倒壊防止補強金具である。
【背景技術】
【０００２】  従来のコンクリートブロック塀には、コンクリートブロック塀と内側に控え壁の接続部にコンクリート詰め、コンクリートブロック塀に縦、横８０ｃｍ以内の間隔で鉄筋が入っているが、ブロック塀は内側に倒れないように控え壁があるが外側に倒れない控えがない。
【発明の概要】
【発明が解決しようとする課題】
【０００３】  従来のコンクリート塀には、ブロック塀の基礎とコンクリートブロック塀のつなぎがなく、内側の控え壁とコンクリートブロック塀の接続部にコンクリートを詰めているだけで接続面が弱くはがれやすい。
角のコンクリートブロック塀とコンクリートブロック塀の接続部にコンクリートを詰めているだけで接続面がはがれやすく倒壊しやすい。
【課題を解決するための手段】
【０００４】  本発明は、上記課題を解決するため、図１を基礎にボルト又はアンカーボルトで基礎に固定する。図１，図２で内側の控え壁とコンクリートブロック塀を接続し、角のコンクリートブロック塀も図  １，図２で施工することで、コンクリートブロック塀を補強することができる。
【発明の効果】
【０００５】  本発明のコンクリートブロック塀補強金具で施工することでコンクリートブロック塀が外側に倒れないように控え壁とコンクリートブロック塀をつなぎ固定する。
角のブロック塀とブロック塀をつなぐことでブロック塀が外側に倒れないよう固定する。
【図面の簡単な説明】
【０００６】
【図１】コンクリートブロック塀補強金具を基礎に▲１▼、▲２▼（ボルト穴）で固定して、▲３▼、▲４▼（上向き鈎）で一段目の▲９▼、▲１０▼（ブロック）を固定する。
【図２】コンクリートブロック塀補強金具を一段目の▲９▼、▲１０▼（ブロック）を▲５▼、▲６▼（下向き鈎）で、二段目の▲９▼、▲１０▼（ブロック）を▲７▼，▲８▼（上向き鈎）で一段目と二段目のブロクをつなぐことでブロック塀を補強することができる。図１，図２でブロック塀の一部又は全面を覆うことで、ブロック塀の倒壊防止ができる。
【発明を実施するための形態】
【図３】
コンクリート基礎に▲１▼、▲２▼（ボルト穴）をボルト又はアンカーボルトで固定して、図１の▲３▼（上向き鈎）に一段目の▲９▼（ブロック）の▲１３▼を上から積み、図１の▲４▼（上向き鈎）に一段目の▲１０▼（ブロック）の▲１７▼を上から積み固定する。
【図４】
一段目の▲９▼、▲１０▼（ブロック）の▲１３▼、▲１６▼、▲１７▼にコンクリートを詰めて固定する。
【図５】
一段目の▲９▼（ブロック）の▲１３▼に図２の▲５▼（下向き鈎）を埋め込み、一段目の▲１０▼（ブロック）の▲１７▼に図２の▲６▼（上向き鈎）を埋め込み、一段目の▲９▼、▲１０▼（ブロック）に図１の▲３▼，▲４▼（上向き鈎）と図２の▲５▼、▲６▼（下向き鈎）をコンクリートで固めて、一段目のコンクリートブロックを固定する。
図２の▲７▼（上向き鈎）に二段目の▲９▼（ブロック）の▲１３▼を積み重ね、図２の▲８▼（上向き鈎）に二段目の▲１０▼（ブロック）の▲１７▼を積み重ねて固定して、図２でブロックをつなぎ合わせる。
以上の手順でブロックを積み重ねることでブロック塀と控え壁をつなぐことで、ブロック塀の倒壊しないようにすることができる。
【図６】
角のコンクリート基礎に▲１▼、▲２▼（ボルト穴）をボルト又はアンカーボルトで固定して、図１の▲３▼（上向き鈎）に一段目の▲１０▼（ブロック）の▲１９▼を上から積み、図１の▲４▼（上向き鈎）に▲９▼（ブロック）の▲１２▼を上から積み固定する。
【図７】
一段目の▲１０▼、▲９▼（ブロック）の▲１９▼、▲１１▼、▲１２▼にコンクリートを詰めて固定する。
【図８】
一段目の▲１０▼（ブロック）の▲１９▼に図２の▲５▼（下向き鈎）を埋め込み、一段目の▲９▼（ブロック）の▲１２▼に図２の▲６▼（下向き鈎）を埋め込み、一段目の▲１０▼、▲９▼（ブロック）に図１の▲３▼、▲４▼（上向き鈎）と図２の▲５▼、▲６▼（下向き鈎）コンクリートで固めて一段目のコンクリートブロックを固定する。
図２の▲７▼、（上向き鈎）に二段目の▲１０▼（ブロック）▲１９▼を積み重ね、図２の▲８▼（上向き鈎）に二段目の▲９▼（ブロック）の▲１２▼を積み重て固定して、図２でブロックをつなぎ合わせる。
以上の手順でブロックを積み重ねることでブロック塀とブロック塀をつなぐことで、ブロック塀が倒壊しないようにすることができる。。
【符号の説明】１．図１は、▲１▼、▲２▼（ボルト穴）で基礎に固定し，▲３▼、▲４▼（上向き鈎）で一段目のブロックでつなぐ。
２．図２は、▲５▼、▲６▼（下向き鈎）で一段目のブロックつなぎ、▲７▼、▲８▼（上向き鈎）で上下のブロックをつなぐ
【図１】
2020056281.tif 000003
【図２】
2020056281.tif 000004
【図３】
2020056281.tif 000005
【図４】
2020056281.tif 000006
【図５】
2020056281.tif 000007
【図６】
2020056281.tif 000008
【図７】
2020056281.tif 000009
【図８】
2020056281.tif 000010
(57)【要約】【課題】カメラ付き電子機器を用いて、安価かつ正確に被写体の実寸法を測定し検査する。【解決手段】一般の定規等を撮影し、その撮影画像に合成されディスプレイに表示された描画線（プログラムにより描画）の長さを入力することでピクセル（描画点）の実寸法を求める。電子機器がディスプレイに表示された撮影画像において、画像線画処理によって、被写体画像から線画を抽出し、その座標情報を元にベクトル計算を行い寸法計測および検査を行う。【選択図】図１
2020071174.tif 000002
【特許請求の範囲】
【請求項１】
カメラおよびディスプレイを有する電子機器と物差し等の寸法計測器具によって、ディスプレイに表示されている描画点（ピクセル）の実際の寸法を取得する方法であって、
前記ディスプレイに投影された、前記寸法計測器具によって、前記ディスプレイに表示された、前記電子機器により描画された直線の寸法を計測する事で、前期ディスプレイ内の描画点（ピクセル）と実際の寸法を関連付ける方法。
【請求項２】
カメラおよびディスプレイを有する電子機器によって、被写体の撮影画像から線画を抽出し、この座標データからベクトル計算を行い被写体の寸法および角度を検出する方法。
【発明の詳細な説明】
【技術分野】
【０００１】
本発明は、カメラ付き電子機器、スマートフォン、タブレット、およびこれらカメラ付き電子機器用のアプリケーションプログラムに関するものである。
【背景技術】
【０００２】
USB接続カメラやカメラ付携帯機器などの普及によって被写体を撮影することが安価かつ容易になっている。
また、いわゆるスマートフォンおよびタブレットには、既にカメラが付属しており、これらを利用したアプリケーションを実行することが可能である。
【発明の概要】
【発明が解決しようとする課題】
【０００３】
被写体を撮影記録するだけでなく、その被写体の寸法について検査したい場合がある。
例えば、金属加工製品の外形寸法や曲げ角度など。
このような場合、その寸法をカメラ画像から簡単に検査できれば、生産性を上げることができ有益である。
【課題を解決するための手段】
【０００４】
カメラ付き電子機器は、ディスプレイに表示された撮影画像において、初期処理によって登録されたピクセルあたりの実寸法から
検出した被写体画像のサイズをもとに、被写体の実寸法や曲げ角度などを算出し検査する。
【発明の効果】
【０００５】
画像処理を使った検査を行う事で、安価かつ容易に検査システムをセットアップ可能である。
【図面の簡単な説明】
【０００６】
【図１】ピクセル実寸法の初期登録の外観図
【図２】検査システムのセットアップの例
【図３】画像処理アルゴリズムの説明図
【発明を実施するための形態】
【０００７】
以下、本発明の実施形態について図面を参照して詳細に説明する。
【０００８】
ここでは、検査の現場において、角材の寸法を検査する場合を例にとって説明を行うが本発明はこれに限定されるものではない。
また、本発明が適用可能な機器は、パーソナルコンピューター、スマートフォン、タブレットに限られるものではなく様々なカメラ付き
電子機器が想定される。
【０００９】
（実施の形態）
図１は、検査プログラムの初期登録を示す図である。
検査プログラムを開始するとピクセルあたりの実寸の登録画面が表示される。
ここでは、画面に直線と寸法入力欄と登録ボタンが表示される。
この直線に合わせて、定規を設置し画面上にある直線が何ｍｍであるかを登録する。
これにより画面上のピクセルと実寸の関連付が可能である。
【００１０】
図２は、本実施形態に係る寸法計測システムの外観を示す図である。
本実施形態では、パーソナルコンピューターとウェブカメラを用いるが、この組み合わせは、スマートフォンやタブレットなどのカメラ付き
電子機器により置き換え可能である。
【００１１】
ユーザーが角材8を単色シート７に乗せると画像処理により角材8は線画に変換され４辺上の直線（始点および終点座標）が取得される。
取得された始点および終点は、２次元座標である為、これら直線についてベクトル計算を行うことで直線間の距離および角度が取得可能である。
登録済の寸法および角度とこれら直線間の距離および角度を比較する事で角材8の寸法、厚さ、角度などが検査できる。
【産業上の利用可能性】
【００１２】
本発明では、被写体の画像撮影と同時にその寸法検査が可能となるので、製品検査の分野で有用である。
【符号の説明】
【００１３】
1定規
2規定ピクセルの直線
3画面上の直線長さ入力欄
4初期登録ボタン
5ウェブカメラ
6パソコン
7単色のシート
8検査対象物
【図１】
2020071174.tif 000003
【図２】
2020071174.tif 000004
【図３】
2020071174.tif 000005
(57)【要約】【課題】台風や竜巻はエネルギーの多い方に進行する。したがって進行させたくない地域のエネルギーを消滅させればその方向を避ける。  エネルギーを消滅させる方法については特許文献で既知である。【特許請求の範囲】
【請求項１】
台風や竜巻の予想進路にある上空の寒気を下降させ、地上または海上の熱気を上昇させて、台風のエネルギーを消滅し、消滅した場所に台風や竜巻を来させないようにする方法
【発明の詳細な説明】
【技術分野】
【０００１】  本発明は、台風や竜巻の進路を変更して被害を少なくし、小型台風のもたらす雨を乾燥地帯に誘導する方法に関するものである。
【背景技術】
【０００２】  従来、台風や竜巻の進路は人工的に制御できないものとしていた。
【先行技術文献】
【特許文献】
【特許文献１】特開平２００７−０７５０７号公開
【特許文献２】特開平２００７−０７５０８号公開
【特許文献３】特開平２００７−３３１７３号公開
【発明の概要】
【発明が解決しようとする課題】
【０００３】  本発明は、台風や竜巻の進路を制御することが課題である。
具体的には上空の寒気や地表や海上の熱気を消滅して台風の進路を制御する。
【課題を解決するための手段】
【０００４】  本発明では上記の課題を解決するために、台風を行かせたくない地域の台風や竜巻の動力元となる上空の寒気と地上または海の熱気（以下エネルギーと略称する）を消滅させる。
消滅の方法は、上空の寒気を降下させたり、地上や海上の熱気を上昇させたりする。【０００５】  図１はその例を示す図で、アメリカのカリブ海で発生した台風１を海側のエネルギー消滅地域２によって内陸方向３に誘導する場合を示す。
図２はエネルギー消滅地域２を内陸方向に置くことによって台風１を海側方向３に誘導する場合を示す。
【発明の効果】
【０００６】  本発明によって台風または竜巻を自由に制御し被害を少なくし、穀倉地帯に雨を降らせる。
【図面の簡単な説明】
【０００７】
【図１】図１はアメリカで台風を内陸に誘導する方法を示す図である。
【図２】図２はアメリカで台風を海側に誘導する方法を示す図である。
【符号の説明】
【０００８】１                台風
２                フアン
３                エネルギー消滅地域
【図１】
2020071213.tif 000002
【図２】
2020071213.tif 000003
(57)【要約】【課題】打撃により音が鳴る際に発音体の揺動方向を制御することができる鈴装置の提供を目的とする。【解決手段】打撃部材で叩くと音が鳴る発音体と、前記発音体を揺動可能に支持した支持部材とを備え、前記発音体は前記支持部に実質的に２点又は３点で支持されていることで、前記発音体の揺動方向が制御されていることを特徴とする。【選択図】  図１
2020071269.tif 000002
【特許請求の範囲】
【請求項１】
打撃部材で叩くと音が鳴る発音体と、
前記発音体を揺動可能に支持した支持部材とを備え、
前記発音体は前記支持部に実質的に２点又は３点で支持されていることで、前記発音体の揺動方向が制御されていることを特徴とする鈴装置。
【請求項２】
前記発音体は、前記支持部材に載置支持されていることを特徴とする請求項１記載の鈴装置。
【請求項３】
前記発音体又は前記支持部材の一方に２点又は３点の凸部を有していることを特徴とする請求項２記載の鈴装置。
【発明の詳細な説明】
【技術分野】
【０００１】
本発明は、ベル，おりん等の打撃することで音が鳴る各種鈴装置に関する。
【背景技術】
【０００２】
ベルやおりん等の分野では打鈴後の音が大きく長い余韻を得るのに、ベル本体やおりん本体が打撃により揺動するものが提案されている（特許文献１）。
しかし、この場合にベル本体やおりん本体等の本体部が概ね１ヶ所で支持されていると打鈴により、この本体部が回転してしまう課題があった。
これでは例えば、上記本体部に図柄，模様等が描かれたり、文字等が書かれていて、正面の位置が定まっている場合に、この本体部が打鈴により回転すると、本体部の正面が定まらなくなってしまう。
【先行技術文献】
【特許文献】
【０００３】
【特許文献１】実用新案登録第３１１０７３９号公報
【発明の概要】
【発明が解決しようとする課題】
【０００４】
本発明は、打撃により音が鳴る際に発音体の揺動方向を制御することができる鈴装置の提供を目的とする。
【課題を解決するための手段】
【０００５】
本発明に係る鈴装置は、打撃部材で叩くと音が鳴る発音体と、前記発音体を揺動可能に支持した支持部材とを備え、前記発音体は前記支持部に実質的に２点又は３点で支持されていることで、前記発音体の揺動方向が制御されていることを特徴とする。
【０００６】
このように発音体が実質的に２点又は３点で支持部材に支持されていると、発音体の回転が抑えられるだけではなく、例えば２点支持の場合で説明すると次のように揺動方向が制御される。
第１の点と第２の点で発音体が支持されている場合に、第１の点と第２の点を通る方向の直線に対して、この直線方向には揺れないが、この直線と直交する方向の揺れは制限されないので、おのずと揺動方向が定まる作用効果がある。
本発明は、このように揺動方向を制御できる点に特徴があり、形式的には多点で支持されたり山型の直線で支持されていたとしても機構学的に直線的な２点支持であることを意味し、そのことを明確にすべく実質的に２点と表現した。
【０００７】
本発明において、発音体を揺動可能に支持するとは発音体を下側から支持部材で支持する態様をいい、この場合に揺動可能に支持されているものであれば、例えば弾性体等で発音体が支持部材と連結されていてもよいが、前記発音体は、前記支持部材に載置支持されているようにすると、発音体を支持部材に載置するだけで支持することができるとともに発音体の揺動させたい正面側を任意に選ぶことができる。
ここで正面側とは、例えば２点で支持した場合に、いわばお辞儀をするように傾き、揺れる方向をいう。
また、３点で支持した場合にはやや揺れにくくはなるが、揺れる方向が３方向に制御される。
【０００８】
本発明において、前記発音体又は前記支持部材の一方に２点又は３点の凸部を有しているようにすることができる。
このようにすると、凸部を支点にして発音体が揺動する。
【０００９】
本発明において発音体と表現したのは、ベルやおりんに限定するものではなく打撃部材で叩くと揺動し、音なる態様の全てを含める趣旨である。
また、打撃手段はりん棒等の手で打つものだけでなく、電気的に作動する打撃子であってもよい。
【発明の効果】
【００１０】
本発明に係る鈴装置にあっては、発音体が２点又は３点で支持されているので、打撃した際に回転しなく、揺動方向が定まる。
【図面の簡単な説明】
【００１１】
【図１】本発明に係る鈴装置の第１の実施例を示す。（ａ）は外観図、（ｂ）は断面図、（ｃ）は揺れた状態を示す。
【図２】本発明に係る鈴装置の第２の実施例を示す。（ａ）は断面図、（ｂ）は揺れた状態を示す。
【発明を実施するための形態】
【００１２】
図１に本発明に係る鈴装置の第１の実施例を示す。
本実施例は下側が開口した逆さおわん形状の発音体１１と、この発音体の内側の頂部を支持する支持部材１２とを有する。
支持部材１２の上端部に第１支持部１２ａと第２支持部１２ｂとで２点支持になるように突起状の支持部を形成した例になっている。
支持部材１２は発音体１１を揺動可能に支持できればよく、その支持構造に制限はない。
本実施例では、支柱状の支持部を台座部１３から立設した例になっている。
【００１３】
このようにすると、図１（ｂ）に矢印で示したように第１支持部１２ａと第２支持部１２ｂとを結んだ直線と直交する前後方向のみに揺れるが他の方向には第１支持部１２ａと第２支持部１２ｂのどちらかが浮き上がらないと揺れないので直ぐに止まる。
また、発音体１１の内側を２点で支持しているので支持部が突起状であっても、発音体が回転するのをその摩擦力にて抑える。
【００１４】
発音体１１を２点支持したことにより、例えば図１（ｃ）に記号Ａ１１ａで示すように、発音体１１の形状や図柄等から正面が定められている場合に、この正面部が第１支持部１２ａと第２支持部１２ｂとを結んだ直線に対して直交する位置になるように載置することで、正面が前後にお辞儀するように揺らすことができる。
図示を省略したが、りん棒等の打撃部材にて、この正面部又は反対側の裏面部を軽く叩くだけで発音体が大きく揺れ、音が大きく余韻も長くなる。
【００１５】
また、発音体１１を支持部材１２に載置する構造になっていると、発音体１１の載置角度を変えるだけで揺動する正面が変わる。
【００１６】
図２に本発明に係る鈴装置の第２の実施例を示す。
本実施例は、発音体１１の内側に垂下した２つの突起部からなる第１支持部１１ｂと第２支持部１１ｃを形成した例である。
なお、本実施例では支持部材に発音体１１を載置する際に位置決めしやすいように支持部材１２の上側の端面に凹部１２ｃ，１２ｄを形成した例になっているが、これに限定されるものではない。
この場合にも、図２（ａ）に矢印で示した前後方向のみに揺動する。
【符号の説明】
【００１７】
１１      発音体
１１ｂ    第１支持部
１１ｃ    第２支持部
１２      支持部材
１２ａ    第１支持部
１２ｂ    第２支持部
１３      台座部
【図１】
2020071269.tif 000003
【図２】
2020071269.tif 000004
(57)【要約】【課題】  アルミニウム合金の溶解炉の底面に堆積する酸化物を、容易に除去できる溶解炉を提供することを課題とする。【解決手段】  炉の底面を傾斜させることにより解決する。【選択図】なし【特許請求の範囲】
【請求項１】
炉の底面を傾斜させることを特徴とするアルミニウム合金の溶解炉。
【発明の詳細な説明】
【技術分野】
【０００１】  本発明はアルミニウム合金の溶解炉に関するものである。
【背景技術】
【０００２】  アルミニウム合金の溶湯は大気中の酸素と結合することにより、酸化アルミニウムおよび酸化マグネシウム、あるいはそれらが結合したスピネルが形成される．これらの酸化物は比重がアルミニウム合金の溶湯よりも大きいことから、溶解炉の底に堆積する性質がある。この炉底に堆積した酸化物が鋳造製品に混入すると、強度が低下することから欠陥となる。
【発明の概要】
【発明が解決しようとする課題】
【０００３】  解決しようとする問題点は、溶解炉の底に堆積した酸化物を除去できない点である。そこで、炉底に堆積した酸化物を除去することが可能な溶解炉を提供することを課題とする。
【課題を解決するための手段】
【０００４】  本発明は、溶解炉の底面を傾斜させたことを最も主要な特徴とする。
【発明の効果】
【０００５】  本発明による炉は、傾斜させた面を利用して酸化物を掻き上げられることから、酸化物を除去できるという利点がある。
【図面の簡単な説明】
【０００６】
【図１】  本発明の傾斜させた底面の溶解炉の態様を示した側面図である。
【図２】  本発明の傾斜させた底面の大型の溶解炉の態様を示した側面図である。
【図３】  従来の底面が水平な溶解炉の態様を示した側面図である。
【発明を実施するための形態】
【０００７】  溶解炉の底に堆積した酸化物を除去するという目的を、底面を傾斜させることにより実現した。
【実施例】
【０００８】  図１は、本発明による傾斜させた底面の溶解炉の態様を示している。１は炉体、２は天井、３はバーナー、４は扉である。５は溶湯、６は底面に堆積した酸化物、７は傾斜させた底面である。酸化物を除去するために、４の扉を開けて、８の掻き出し用の治具を溶湯内に挿入した。そして６の酸化物を、７の傾斜を利用して炉外に除去した。その後、炉内の溶湯から、酸化物量を計測するためにＫモールドを採取した。計測したＫ値を表１に示す。Ｋ値は０．２であることから、清浄な溶湯であると評価された。使用する溶解炉が大型の場合には、図２に示すように、傾斜させた底面を両側に設けてもかまわない。【０００９】  図３は比較例としての従来技術による炉である。炉底が水平であることから、酸化物を掻き上げることはできなかった。Ｋモールドを採取して、Ｋ値を計測した。その結果を表１に示す。Ｋ値が５であることから、汚れている溶湯と評価された。【００１０】
【表１】
2020071014.tif 000002
【産業上の利用可能性】
【００１１】  本発明に係る溶解炉は、底面を傾斜させたことから、酸化物を除去しやすいという利点がある。このため、産業上の利用の可能性を有する。
【符号の説明】
【００１２】１  炉体
２  天井
３  バーナー
４  扉
５  溶湯
６  酸化物
７  底面
８  掻き出し治具
【図１】
2020071014.tif 000003
【図２】
2020071014.tif 000004
【図３】
2020071014.tif 000005